(57)【要約】【課題】  サッシュ別体式ドアの外観および水密性を向上可能であるとともに、ウェザーストリップの型費用を含む製造コストを低減することが可能な車両用ドアのサッシュ部構造を提供する。【解決手段】  ドア本体部（２）の上方に窓用開口（３０）を画成するサッシュ部（３）と、前記ドア本体部および前記サッシュ部の車両室内側周縁部に沿って配設されるウェザーストリップ（６）を備え、前記窓用開口の側部に上下方向に延在する側部サッシュ（３２）の、前記ウェザーストリップより車両室外側に位置した外側縁に沿って拡張パネル（３４）が接合され、該拡張パネルおよび前記側部サッシュの車両室外側表面がアウターガーニッシュ（４）で覆われている。【選択図】    図３
2008080980.tif 000002
【特許請求の範囲】
【請求項１】
車両の側部に配置され、ドアアウターパネルとドアインナーパネルとを接合して構成されるドア本体部と、前記ドア本体部の上方に窓用開口を画成するサッシュ部と、前記ドア本体部および前記サッシュ部の車両室内側周縁部に沿って配設されるウェザーストリップとを備え、前記サッシュ部が、前記各ドアパネルとは別部材で構成され、前記窓用開口の側部に上下方向に延在する側部サッシュと、前記窓用開口の上部に車両前後方向に延在する上部サッシュとを含むような車両用ドアのサッシュ部構造において、
前記側部サッシュの、前記ウェザーストリップより車両室外側に位置した外側縁に沿って拡張パネルが接合され、該拡張パネルおよび前記側部サッシュの車両室外側表面がアウターガーニッシュで覆われており、前記拡張パネルの下端縁が前記ドアインナーパネルの上端縁に接合され、前記アウターガーニッシュの下端縁が前記ドアアウターパネルの上端縁に沿って画成されていることを特徴とする車両用ドアのサッシュ部構造。
【請求項２】
前記アウターガーニッシュは、前記側部サッシュと前記上部サッシュとの接合角部に隣接した部位で、前記拡張パネルに締結部材で固定され、該固定部が前記ウェザーストリップに一体に形成された袋形状部で被覆されていることを特徴とする請求項１に記載の車両用ドアのサッシュ部構造。
【請求項３】
前記ウェザーストリップは、前記袋形状部に隣接した部位を貫通する係止部材によって前記拡張パネルに固定されていることを特徴とする請求項２に記載の車両用ドアのサッシュ部構造。
【請求項４】
前記アウターガーニッシュに、前記拡張パネルの端縁部との係合部が形成されていることを特徴とする請求項１に記載の車両用ドアのサッシュ部構造。
【請求項５】
前記側部サッシュの前記窓用開口内に臨む部位に、前記ドア本体部内から立ち上げられたロアサッシュの上端部が接続し、前記ロアサッシュから前記側部サッシュを越えて前記拡張パネルまでの車両室外側表面が前記アウターガーニッシュで覆われていることを特徴とする請求項１に記載の車両用ドアのサッシュ部構造。
【発明の詳細な説明】
【技術分野】
【０００１】
本発明は、車両用ドアのサッシュ部構造に関し、さらに詳しくは、ドアパネル部に対してサッシュ部が別体で構成されたサッシュ別体式ドアのサッシュ部構造に関する。
【背景技術】
【０００２】
車両側部に配置されるドア構造は、ドアアウターパネルとドアインナーパネルとを接合して構成されるドア本体部と、その上方に窓用開口を画成するサッシュ部とを備え、サッシュ部が前記各ドアパネルに一体に形成された「サッシュ一体式ドア」と、サッシュ部が前記各ドアパネルとは別体で形成された「サッシュ別体式ドア」に大別される。
【０００３】
サッシュ一体式ドアは、ドア本体部からサッシュ部にかけて一体感が得られ外観に優れる反面、ドアパネルのプレス成形に大きな型が必要となり、コストを要する欠点がある。一方、サッシュ別体式ドアは、ドアパネルの成形型が小さくて済むうえ、サッシュ部には、ロール成形されたチャンネル形状のロールサッシュを使用するため、サッシュ一体式ドアに比べて低コストであるが、サッシュ部のデザイン的な制約が大きく、ベルトライン上方に見切りラインが多くなるうえ、サッシュ部の幅が狭いため、サッシュの周囲に設けたウェザーストリップが雨水に曝され易い問題がある。
【０００４】
また、車両側部に配置されるドアのうち、車両前後方向の後側に位置したリアドアでは、ドア本体部の後方側に配設されるロック機構を避けてウインドガラスを昇降させる必要がある。そこで、従来、車両後方側に傾斜して配設された後方側のサッシュの上端または中間部に、ドア本体内から前方側のサッシュと平行に立ち上げられたロアサッシュの上端部を接続するとともに、後方側サッシュとロアサッシュおよびドア本体の上端縁で囲まれた空間に固定式の三角窓を設けたり、特許文献１に記載のようにカバー（ガーニッシュ）を取付けたりして、この部分の外観を整えるようにしている。
【０００５】
しかしながら、特許文献１では、アウターカバーがサッシュの内部に位置し、サッシュとアウターカバーの合わせ部に見切りラインが生じるとともに、アウターカバーを設けた部分とその上方とで見切り幅が異なり、外観上好ましくない箇所が生じる問題がある。また、前記サッシュの外側縁では、幅の狭いサッシュの水密性を確保するため、ウェザーストリップを外表面上のアウターカバーとの接合部まで拡張して、幅広に形成しているため、型成形部を広く取る必要があり、成形型が大型化して製造コストが増加する問題がある。
【０００６】
ウェザーストリップは、基本的にゴム材を用いた押出し成形により形成されるが、ドアサッシュの角部など屈曲が大きい箇所では、直線的な押出し成形品が充分に追従できないため、型成形により当該箇所に適合させて賦形し、この型成形部と押出し成形部とを連結して全体のシール性を確保している。型成形部と押出し成形部との連結は、型成形部の成形時に、型内に押出し成形部の端部をセットして成形することによりなされる。押出し成形は、中空の可撓部を備えたシール形状を安価に形成可能なため、型費が高い型成形部の範囲をできるだけ減らし、広い範囲で押出し成形部を用いることが、ウェザーストリップのコストを低減する上では好ましい。
【０００７】
【特許文献１】特許第３５７６３６３号公報
【発明の開示】
【発明が解決しようとする課題】
【０００８】
本発明はこのような実状に鑑みてなされたものであって、その目的は、サッシュ別体式ドアの外観および水密性を向上可能であるとともに、ウェザーストリップの型費用を含む製造コストを低減することが可能な車両用ドアのサッシュ部構造を提供することにある。
【課題を解決するための手段】
【０００９】
上記従来技術の有する課題を解決するため、本発明は、
車両の側部に配置され、ドアアウターパネルとドアインナーパネルとを接合して構成されるドア本体部と、前記ドア本体部の上方に窓用開口を画成するサッシュ部と、前記ドア本体部および前記サッシュ部の車両室内側周縁部に沿って配設されるウェザーストリップとを備え、前記サッシュ部が、前記各ドアパネルとは別部材で構成され、前記窓用開口の側部に上下方向に延在する側部サッシュと、前記窓用開口の上部に車両前後方向に延在する上部サッシュとを含むような車両用ドアのサッシュ部構造において、
前記側部サッシュの、前記ウェザーストリップより車両室外側に位置した外側縁に沿って拡張パネルが接合され、該拡張パネルおよび前記側部サッシュの車両室外側表面がアウターガーニッシュで覆われており、前記拡張パネルの下端縁が前記ドアインナーパネルの上端縁に接合され、前記アウターガーニッシュの下端縁が前記ドアアウターパネルの上端縁に沿って画成されている構成とした。
【発明の効果】
【００１０】
本発明に係る車両用ドアのサッシュ部構造は、上述の通り構成されているので、以下に記載されるような効果を奏する。
側部サッシュの車両室外側表面が車両前後方向に拡張され、かつ、窓用開口とドア開口との間が１枚のアウターガーニッシュで覆われ、それ以外に上下方向の見切りラインが存在せず、サッシュ一体式ドアのような高級感のある外観が得られる。
アウターガーニッシュの固定部を拡張パネルに設けることができるため、側部サッシュに固定のための孔などを設ける必要が無く、その形状が簡略化されるとともに、ウェザーストリップの嵌着部分のシール性を向上できる。
側部サッシュの周縁部に配設されたウェザーストリップの車両室外側が、拡張パネルおよびアウターガーニッシュで覆われるので、ウェザーストリップが直接雨水に曝されるのが防止され、ドアの水密性を向上可能である。また、上記の拡張パネルで覆われた範囲は、ウェザーストリップの押出し成形部で対応でき、型成形部を角部付近に限定して小さくできるので、型費を削減することが可能である。
【００１１】
本発明において、前記アウターガーニッシュが、前記側部サッシュと前記上部サッシュとの接合角部に隣接した部位で、前記拡張パネルに締結部材で固定され、該固定部が前記ウェザーストリップに一体に形成された袋形状部で被覆されている態様では、アウターガーニッシュを確実に固定可能であるとともに、該固定部の耐水性を確保でき、かつ、乗降時にドアが開放された状態で乗員の目に触れる当該部位の外観を向上することが可能である。
【００１２】
また、前記ウェザーストリップが、前記袋形状部に隣接した部位を貫通する係止部材によって前記拡張パネルに固定されている態様では、ウェザーストリップが弾性変形した場合でも固定部の被覆状態が確実に維持され、高品質の外観および耐水性が維持される。
【００１３】
さらに、前記アウターガーニッシュに、前記拡張パネルの端縁部との係合部が形成されている態様では、アウターガーニッシュを締結部材で拡張パネルに固定する際に、係合部を拡張パネルの端縁部に係合しておくことによって、仮保持性を向上でき、アウターガーニッシュの固定作業を容易に行えるとともに、アウターガーニッシュの固定後における、縁端部の浮きを防止することが可能である。
【００１４】
前記側部サッシュの前記窓用開口内に臨む部位に、前記ドア本体部内から立ち上げられたロアサッシュの上端部が接続し、前記ロアサッシュから前記側部サッシュを越えて前記拡張パネルまでの車両室外側表面が前記アウターガーニッシュで覆われている態様では、ドアガラスの昇降範囲を規定するロアサッシュを設けた場合にも、該ロアサッシュ側と側部サッシュ側との間に見切りラインが生じず、簡潔で高品質の外観が維持される。
【発明を実施するための最良の形態】
【００１５】
以下、本発明を図示の実施の形態に基づいて詳細に説明する。
図１は、本発明の実施形態に係る車両用ドア（リアドア２）を備えた自動車１の側面後方側部分を示すものであり、リアドア２のドア本体部（２１）の上方には窓用開口３０を画成するサッシュ部３が設けられ、その車両前後方向の後側にはアウターガーニッシュ４が配設され、アウターガーニッシュ４の後方の車体側面には、サッシュ部３、アウターガーニッシュ４と一連の意匠を構成するガーニッシュ１４が配設されている。
【００１６】
図２は、リアドア２の分解状態を示している。図において、リアドア２のドア本体部は、車両室外面を形成するドアアウターパネル２１と、車両室内面を形成するドアインナーパネル２２とで構成され、サッシュ部３が別部材で構成されたサッシュ別体式ドアである。サッシュ部３は、金属板をロール成形してなるチャンネル形状のロールサッシュ構造をなし、窓用開口３０の前側、後側に上下方向に延在する前側サッシュ３１、後側サッシュ３２（側部サッシュ）と、それらの上端を連結し窓用開口３０の上部に車両前後方向に延在する上部サッシュ３３で構成され、さらに前側サッシュ３１には、車両前後方向の前方側に張出した外表面部３１ｃが一体に成形されている。
【００１７】
そして、前側サッシュ３１下部のブラケット３１ａ、３１ｂ、および後側サッシュ３２下部のブラケット３２ａを、それぞれ、ドアインナーパネル２２の内面に固定した状態で、ドアインナーパネル２２とドアアウターパネル２１とを周縁部において接合することにより、リアドア２は、内部に空間が形成された所謂最中構造に形成されている。
【００１８】
前後の側部サッシュ３１、３２のうち後側サッシュ３２には、図２〜図４に示すように、外側縁３２ｃ（窓用開口３０の外側、車両前後方向の後側の縁部）に拡張パネル３４の基端縁３４ｃを重ねて溶接し、拡張パネル３４により後側サッシュ３２の外表面を車両前後方向の後方に拡張している。拡張パネル３４は、板状をなし、後側サッシュ３２の外側縁３２ｃ沿って上下方向に延在し、その下端縁３４ｂは、図３に示すように、ドアインナーパネル２２の上端縁２２ａに重ねて溶接される。
【００１９】
また、後側サッシュ３２の前方側において、ドアインナーパネル２２とドアアウターパネル２１との中間部から、ロアサッシュ５を立設している。ロアサッシュ５は、ロール成形された下側サッシュ５２と一連に設けた上側サッシュ５１から構成され、上側サッシュ５１は、樹脂成形品により三角形状のインナーパネル５０と一体に形成されており、上端部において後側サッシュ３２に図示しないスクリューで固定されている。従って、窓用開口３０の後側は、上側が後側サッシュ３２で画成され、下側がロアサッシュ５で画成されており、これらの窓用開口３０に臨む側縁に形成された溝（図４に、後側サッシュ３２の溝３２ｂのみを示す）に、昇降ガラスを案内するガラスラン（図示せず）が嵌着される。
【００２０】
アウターガーニッシュ４は、側部サッシュ３２および拡張パネル３４の車両室外側表面を覆う樹脂成形品で構成され、その拡張パネル３４の端縁に沿った縁部には、図３、４に示すように、拡張パネル３４の端縁部に当接する複数のリブ４２と、該各リブ４２より先端側から各リブ４２の前方に回り込むように突設された係止片４１とからなる係合部が形成されている。また、アウターガーニッシュ４は、上下２箇所にナット４３、４４の保持部が設けられ、さらに、前記係合部（４１、４２）と反対側の縁部に隣接して２箇所のクリップ４５、４５が突設されている。
【００２１】
上記アウターガーニッシュ４は、図３、４に示すように、係止片４１を拡張パネル３４の端縁部に係止し、次いで、クリップ４５、４５を上側サッシュ５１とインナーパネル５０とに設けた被係止部（図示せず）に係止して仮固定した状態で、ネジ穴３４３、３４４に挿通したスクリュー７３、７４をナット４３、４４に螺合することで、拡張パネル３４に固定される。
【００２２】
なお、アウターガーニッシュ４の窓用開口３０に沿った縁部に隣接した内面には弾性シール材４０が延設されており、アウターガーニッシュ４を固定した状態では、図４に示すように、後側サッシュ３２の内側縁３２ｄ（およびロアサッシュ５）に接合され、この部分のシールが確保される。また、アウターガーニッシュ４の下端縁４ｂは、ドアアウターパネル２１の上端縁２１ａの内側に図示しないシール材を介して接合される。
【００２３】
上記のようにアウターガーニッシュ４を固定したサッシュ部３およびドア本体部（ドアインナーパネル２２）の車両室内側の周縁部に沿ってウェザーストリップ６が装着される。ウェザーストリップ６は、図２に示されるように、ドア上部の前後２箇所の角部が型成形部６２、６４であり、それらの中間部（６３）および残余の部分（６１）が、それぞれ、均一断面の押出し成形部６１、６３である。
【００２４】
上記２箇所の型成形部６２、６４のうち、車両前後方向の後方側の型成形部６４には、図６〜図９に示すように、シールを構成するリップ部６ａに対して、拡張パネル３４側に張出した張出部６４ａが一体に形成され、該張出部６４ａの拡張パネル３４側の面には袋形状部６４ｂが形成されている。この袋形状部６４ｂによってアウターガーニッシュ４を固定したスクリュー７３の頭部が包覆され、腐食し易いスクリュー７３にシールが確保されるとともに、ドアを開けた際に目立ち易い位置にあるスクリュー７３が隠蔽され、この部分の外観を向上できる。
【００２５】
また、図３または図６に示すように、張出部６４ａのスクリュー７３に隣接した部位は凹嵌しており、この凹嵌部には貫通孔６５が穿設されており、該貫通孔６５に、ウェザーストリップ６と同色（または近似色）のクリップ７５を挿通し、拡張パネル３４の係止孔３４５に係止することにより、ウェザーストリップ６の型成形部６４が拡張パネル３４に対して確実に固定される。
【００２６】
本発明に係わるサッシュ部３では、側部サッシュ３２の外縁部に沿って拡張パネル３４が設けられ、ウェザーストリップ６はその内側に配設され、直接雨水に曝されることがない。このため、ウェザーストリップでサッシュ部の縁部までシールする必要が無く、成形が容易な均一断面の押出し成形部６０を側部サッシュ３２上端の角部付近まで配することが可能となる。
【００２７】
従来のサッシュ別体式ドアでは、型成形部が３箇所、押出し成形による均一断面が３種類で構成されるか、または、型成形部が２箇所で、このうち車両前後方向の後側の型成形部は、側部サッシュ（３２）の外側縁まで幅広くシールするボリュームのある断面形状が、上端角部からベルトライン（２１ａ）付近までの長い区間に亘って延在し、比較的大きな成形型を必要としていたが、上記サッシュ部３の構成により、角部の型成形部６１が小型化され、型作成費用が削減されることになる。
【００２８】
以上、本発明の実施の形態につき述べたが、本発明は上記実施形態に限定されるものではなく、本発明の技術的思想に基づいて各種の変形および変更が可能である。
【図面の簡単な説明】
【００２９】
【図１】本発明の実施形態に係る車両用ドアのサッシュ部構造を備えた自動車の後側部分を示す側面図である。
【図２】本発明の実施形態に係るサッシュ部構造を備えた車両用ドアを示す車両室内側から見た分解斜視図である。
【図３】本発明の実施形態に係るサッシュ部構造を備えた車両用ドアの組付け過程を示す車両室内側から見た要部分解斜視図である。
【図４】図３のＡ−Ａ断面図である。
【図５】本発明の実施形態に係るサッシュ部構造を示す車両室内側から見た要部拡大側面図である。
【図６】図５のＢ−Ｂ断面図である。
【図７】図５のＣ−Ｃ断面図である。
【図８】本発明の実施形態に係るウェザーストリップの型成形部を示す車両室内側から見た拡大側面図である。
【図９】図８のＤ方向矢視図である。
【符号の説明】
【００３０】
１  自動車
２  リアドア
３  サッシュ部
４  アウターガーニッシュ
５  ロアサッシュ
６  ウェザーストリップ
１４  ガーニッシュ
２１  ドアアウターパネル
２２  ドアインナーパネル
３０  窓用開口
３１  前側サッシュ
３２  後側サッシュ（側部サッシュ）
３３  上部サッシュ
３４  拡張パネル
４１  係止片（係合部）
４２  リブ
４３、４４  ナット
４５  クリップ
５０  インナーパネル
６４  型成形部
６４ａ  張出部
６４ｂ  袋形状部
６５  貫通孔
７３、７４  スクリュー（締結部材）
７５  クリップ（係止部材）
【図１】
2008080980.tif 000003
【図２】
2008080980.tif 000004
【図３】
2008080980.tif 000005
【図４】
2008080980.tif 000006
【図５】
2008080980.tif 000007
【図６】
2008080980.tif 000008
【図７】
2008080980.tif 000009
【図８】
2008080980.tif 000010
【図９】
2008080980.tif 000011